(57)【要約】【課題】スピニングリールのリール本体において、固定部材の後部への露出を抑えてカバー部材を容易に固定できるようにする。【解決手段】スピニングリールのリール本体２は、リールボディ２ａと、蓋部材２ｂと、本体ガード２６と、保持部材２７と、を備えている。リールボディは、側部が開口する収納空間ＲＡと、収納空間に連通する第１挿通孔２ｑと、第１挿通孔と逆側に配置され収納空間に連通する第２挿通孔２ｊと、を有する。蓋部材は、収納空間を塞ぐためにリールボディに着脱自在に装着される。本体ガードは、リールボディ及び蓋部材を覆うように後方から装着され、リールボディの後部から第１挿通孔を通って収納空間内に向かって突出するボス部を有している。保持部材は、収納空間内でリールボディに移動不能に設けられ、収納空間においてボス部の前端部に固定されるねじ部材２８を保持する。【選択図】図６
2008154482.tif 000002
【特許請求の範囲】
【請求項１】
釣り竿に装着され、前方に釣り糸を繰り出し可能なスピニングリールのリール本体であって、
側部が開口する収納空間と、前記収納空間に連通する第１挿通部と、前記第１挿通部と逆側に配置され前記収納空間に連通する第２挿通部と、を有するリールボディと、
前記収納空間を塞ぐために前記リールボディに着脱自在に装着される蓋部材と、
前記リールボディ及び蓋部材を覆うように後方から装着され、前記リールボディの後部から前記第１挿通部を通って前記収納空間内に向かって突出するボス部を有するカバー部材と、
前記収納空間内で前記リールボディ及び前記蓋部材のいずれか一方に移動不能に設けられ、前記収納空間において前記ボス部の前端部を固定する固定部材を保持する保持部材と、
を備えたスピニングリールのリール本体。
【請求項２】
前記リールボディは、前記第２挿通部を閉塞可能な閉塞部材をさらに有している、請求項２に記載のスピニングリールのリール本体。
【請求項３】
前記固定部材は、基端部に形成された頭部と、先端部に前記頭部より小径となるように形成され外周部に雄ねじ部が形成された軸部とを有するねじ部材であり、
前記ボス部は、先端部に前記ねじ部材の前記雄ねじ部が螺合する雌ねじ部を有している、請求項１又は２に記載のスピニングリールのリール本体。
【請求項４】
前記ねじ部材は、タッピングビスであり、
前記雌ねじ部は、前記タッピングビスにより形成される、請求項３に記載のスピニングリールのリール本体。
【請求項５】
前記保持部材は、前記リールボディと別体で形成されている、請求項１から４のいずれか１項に記載のスピニングリールのリール本体。
【請求項６】
前記リールボディは、前記収納空間の内部に形成された被係止部を有し、
前記保持部材は、前記リールボディに対して相対移動不能に装着するために、前記被係止部に係止可能な係止部を有している、請求項５に記載のスピニングリールのリール本体。
【請求項７】
前記保持部材は、前記リールボディと一体で形成されている、請求項１から４のいずれか１項に記載のスピニングリールのリール本体。
【請求項８】
前記保持部材は、前記ねじ部材の前記軸部が貫通する貫通孔を有している、請求項３から７のいずれか１項に記載のスピニングリールのリール本体。
【請求項９】
前記保持部材は、前記ねじ部材の前記頭部を収容可能な頭部収容部をさらに有している、請求項８に記載のスピニングリールのリール本体。
【発明の詳細な説明】
【背景技術】
【０００１】
スピニングリールは、リール本体と、リール本体の前部に回転自在に装着されたロータと、ロータにより釣り糸が外周面に巻き付けられるスプールとを備えている。リール本体は、内部に側部が開口する収納空間を有するリールボディと、リールボディの開口を塞ぐためにリールボディに着脱自在に装着される蓋部材と、を有している。従来のリール本体は、蓋体部を筐体部の複数箇所にビスなどのねじ部材をねじ込むことにより蓋体部が筐体部に固定されている。このように、ねじ部材により蓋体部を筐体部に固定すると、ねじ部材の頭部を収納する凹部が外観に表れるので、高級感がある外観が得られにくい。また、凹部に餌やゴミなどの異物が付着するおそれがある
このような問題を解決するためにねじ部材が外観に表れないリール本体を有するスピニングリールの従来知られている（たとえば、特許文献１参照）。従来のスピニングリールのリール本体は、リールボディと蓋部材とを有しており、リールボディ及び蓋部材の前部は、ロータ内に配置され、前部に配置されたねじ部材により蓋部材が固定されている。また、リールボディ及び蓋部材の後部はカバー部材により覆われている。このカバー部材は、リール本体の前部から挿入された２本のねじ部材（固定部材の一例）でリールボディに固定されている。カバー部材を固定する固定部材は、リール本体のリール本体の左右に１本ずつ配置されスプール軸に沿って前後に延びて配置されている。このような構成の従来のリール本体では、カバー部材をロータ側から挿入した固定部材により固定しているので、カバー部材を装着してもリール本体の後部にねじ部材が露出しない。
【特許文献１】実公平６−２１３３６号公報
【発明の開示】
【発明が解決しようとする課題】
【０００２】
前記従来の構成では、リール本体の後部に固定部材が露出しない。このため、リールの外観の意匠を向上させることができる。しかし、リール本体をスプール軸に沿って貫通する長さが長い２本の固定部材を用いてカバー部材をリール本体に固定しているので、収納空間内を真っ直ぐに通して固定部材をカバー部材にねじ込むのが難しく、カバー部材の固定を容易に行いにくい。
【０００３】
本発明の課題は、スピニングリールのリール本体において、固定部材の後部への露出を抑えてカバー部材を容易に固定できるようにすることにある。
【課題を解決するための手段】
【０００４】
発明１に係るスピニングリールのリール本体は、釣り竿に装着され、前方に釣り糸を繰り出し可能なリール本体であって、リールボディと、蓋部材と、カバー部材と、保持部材と、を備えている。リールボディは、側部が開口する収納空間と、収納空間に連通する第１挿通部と、第１挿通部と逆側に配置され収納空間に連通する第２挿通部と、を有するものである。蓋部材は、収納空間を塞ぐためにリールボディに着脱自在に装着される部材である。カバー部材は、リールボディ及び蓋部材を覆うように後方から装着される部材であり、リールボディの後部から第１挿通部を通って収納空間内に向かって突出するボス部を有している。保持部材は、収納空間内でリールボディ及び蓋部材のいずれか一方に移動不能に設けられ、収納空間においてボス部の前端部を固定する固定部材を保持する部材である。
【０００５】
このリール本体では、カバー部材をリールボディ（又は蓋部材）に固定する際には、保持部材に固定部材を予め保持させておく。そして、カバー部材を固定するためにボス部を第１挿通部を通して収納空間の内部に配置する。ボス部が収納空間内に配置されるように本体ガードを装着すると、リールボディの外部からドライバーやアーレンキーなどの工具を第２挿通部に挿通し、保持部材に保持された固定部材に回転等の運動を与えることによりボス部の前端部を保持部材に固定する。これにより、カバー部材がリールボディ（又は蓋部材）に固定される。ここでは、リールボディ（又は蓋部材）に対して移動不能な保持部材に保持された固定部材を外部から工具により運動させてボス部の前端部を保持部材に固定することにより、カバー部材を固定できるので、固定部材にねじ部材を用いても、長さが短いねじ部材を用いることができる。このため、カバー部材を容易に固定できるとともに、リール本体の後部にねじ部材が露出しないようにすることができる。
【０００６】
発明２に係るスピニングリールのリール本体は、発明２に記載のリール本体において、リールボディは、第２挿通部を閉塞可能な閉塞部材をさらに有している。この場合には、第２挿通部を設けてもリールボディの密閉性を高めることできる。
【０００７】
発明３に係るスピニングリールのリール本体は、発明１から３のいずれかに記載のリール本体において、固定部材は、頭部と、頭部より小径となるように形成され外周部に雄ねじ部が形成された軸部とを有するねじ部材であり、ボス部は、先端部にねじ部材の雄ねじ部が螺合する雌ねじ部を有している。この場合には、ねじ部材の頭部がリール本体の後部に露出しない。
【０００８】
発明４に係るスピニングリールのリール本体は、発明４に記載のリール本体において、ねじ部材は、タッピングビスであり、雌ねじ部は、タッピングビスにより形成される。この場合には、雌ねじ部を予めネジ加工で形成する必要がないので、加工コストを削減できる。
【０００９】
発明５に係るスピニングリールのリール本体は、発明１から４のいずれかに記載のリール本体において、保持部材は、リールボディと別体で形成されている。この場合には、リールボディや保持部材が単純な形状にできるので、それらを形成しやすい。
【００１０】
発明６に係るスピニングリールのリール本体は、発明５に記載のリール本体において、リールボディは、収納空間の内部に形成された被係止部を有し、保持部材は、リールボディに対して相対移動不能に装着するために、被係止部に係止可能な係止部を有している。この場合には、係止するだけで保持部材をリールボディに対して移動不能にできるので、移動不能に連結する構成が簡素化する。
【００１１】
発明７に係るスピニングリールのリール本体は、発明１から４のいずれかに記載のリール本体において、保持部材は、リールボディと一体で形成されている。この場合には、保持部材をリールボディに移動不能に連結する必要がないので保持部材の構成が簡素化する。
【００１２】
発明８に係るスピニングリールのリール本体は、発明３から７のいずれかに記載のリール本体において、保持部材は、ねじ部材の軸部が貫通する貫通孔を有している。この場合には、ねじ部材を保持部材の貫通孔で保持することができる。
【００１３】
発明９に係るスピニングリールのリール本体は、発明８に記載のリール本体において、保持部材は、ねじ部材の頭部を収容可能な頭部収容部をさらに有している。この場合には、ねじ部材の頭部が頭部収容部に収容されるので、カバー部材の固定前にねじ部材が脱落しにくい。
【発明の効果】
【００１４】
本発明によれば、固定部材を保持する保持部材を収納空間内にリールボディ（又は蓋部材）に対して移動不能に配置し、保持された固定部材を外部から工具によりボス部の前端部に固定することにより、カバー部材を固定できるので、固定部材にねじ部材を用いても、長さが短いねじ部材を用いることができる。このため、カバー部材を容易に固定できるとともに、リール本体の後部にねじ部材が露出しないようにすることができる。
【発明を実施するための最良の形態】
【００１５】
＜第１実施形態＞
本発明の第１実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１はリール本体２の左右いずれにも装着可能である。
【００１６】
＜リール本体の構成＞
リール本体２は、図２及び図３に示すように、側部が開口する収納空間ＲＡを内部に有するリールボディ２ａと、リールボディ２ａの収納空間ＲＡを塞ぐためにリールボディ２ａに着脱自在に装着される蓋部材２ｂ（図３）と、を有している。また、リール本体２は、リールボディ２ａ及び蓋部材２ｂの後部を覆う本体ガード（カバー部材の一例）２６と、収納空間ＲＡにリールボディ２ａに対して移動不能に設けられ、収納空間ＲＡにおいて本体ガード２６の前端部に固定されるねじ部材２８（固定部材の一例）を保持する保持部材２７と、を有している。
【００１７】
リールボディ２ａは、たとえば、マグネシウム合金やアルミニウム合金等の軽合金製のものであり、上部に前後に延びるＴ字形の竿取付脚２ｃが一体形成されている。リールボディ２ａの収納空間ＲＡ内には、図２に示すように、ロータ駆動機構５と、オシレーティング機構６とが設けられている。リールボディ２ａの後部には、第１挿通孔（第一挿通部の一例）２ｑが前後方向に沿って形成されている。リールボディ２ａの前端には、図３に示すように、円形のフランジ部２ｄを構成する概ね半円形の第１フランジ２ｄ１と、フランジ部２ｄより小径で先端が開口する円筒部２ｅとが形成されている。第１フランジ２ｄ１の上部には、本体ガード２６を固定するねじ部材２８を回すための工具を収納空間ＲＡに挿通可能な第２挿通孔（第２挿通部の一例）２ｊが形成されている。第２挿通孔２ｊは、第１挿通孔２ｑと逆側の対向した位置に同芯に配置されている。ねじ部材２８により本体ガード２６を固定した後に、第１挿通孔２ｑは、たとえば弾性体製のキャップ（閉塞部材の一例）３９により塞がれている。
【００１８】
図５及び図６に示すように、ねじ部材２８は、頭部２８ａと、頭部２８ａより小径となるように形成され外周部に雄ねじ部２８ｃが形成された軸部２８ｂとを有する部材である。第２挿通孔２ｊは、たとえば、ねじ部材２８の頭部２８ａに係合するドライバーやアーレンキーの軸部分が挿通可能な内径を有している。円筒部２ｅのフランジ部２ｄ側の基端部には、断面が円形状に切り欠かれた装着溝２ｆが形成されている。また、装着溝２ｆには、図３に示すように、後述するベールアーム４４を糸解放姿勢にしたときにロータ３を制動可能なロータ制動機構５７の弾性体製の制動部材５８が装着されている。
【００１９】
蓋部材２ｂは、たとえば、マグネシウム合金やアルミニウム合金等の軽合金製のものである。蓋部材２ｂは、たとえば、ロータ３で隠れる前側の２箇所で固定ボルト８０によりリールボディ２ａに固定されている。また、蓋部材２ｂは、ロータ３から離反する後側の１箇所で固定ボルト８２によりリールボディ２ａに固定されている。なお、固定ボルト８２は、本体ガード２６によりカバーされる位置で蓋部材２ｂをリールボディ２ａに固定する。
【００２０】
蓋部材２ｂの前端には、第１フランジ２ｄ１とで円形のフランジ部２ｄを構成する概ね半円形の第２フランジ２ｄ２が形成されている。第２フランジ２ｄ２の前面には、固定ボルト８０が貫通する板状部２ｉが一体形成されている。板状部２ｉは、蓋部材２ｂの前部をリールボディ２ａに固定ボルト８０によりねじ止め固定するために設けられている。板状部２ｉは、シール部材２５を装着するための、概ねＣ字状のシール装着部２ｈの外側に前方に突出して形成されている。板状部２ｉは、上下に長い板状の部分であり、その両端に固定ボルト８０が貫通する１対の貫通孔２ｋが形成されている。貫通孔２ｋ形成部分の間は、貫通孔２ｋ形成部分より突出量が小さくなっている。すなわち、板状部２ｉは、両端が略半円形に同じ厚みで突出し、その間が貫通孔２ｋの中心位置より僅かに後方に凹むように第２フランジ２ｄ２から突出して形成されている。
【００２１】
シール部材２５は、合成樹脂製のＣ字状に形成された部材であり、蓋部材２ｂとリールボディ２ａのフランジ分割部分をシールするために設けられている。リールボディ２ａと蓋部材２ｂとの分割部分には、後述する切換部材５６が着脱自在に装着されている。
【００２２】
円筒部２ｅの装着溝２ｆ形成部分には、板状部２ｉが配置される凹部２ｇが形成されている。この凹部２ｇには、制動部材５８の凹みを防止するための突出部材８１が装着される。凹部２ｇは、板状部２ｉの輪郭に沿うように凹んで形成されており、上下方向の両端部が中間部分より前方に突出するように略半円形に凹んでいる。板状部２ｉは、２本の固定ボルト８０により、リールボディ２ａの凹部２ｇに固定されている。したがって、凹部２ｇには、固定ボルト８０が螺合するねじ孔２ｍが上下に間隔を隔てて配置されている。
【００２３】
本体ガード２６は、図３に示すように、リールボディ２ａ及び蓋部材２ｂを覆うように後方から装着された部材である。具体的には、本体ガード２６は、姿合わせのためのパッキン２６ｂを介して竿取付脚２ｃを含むリールボディ２ａ及び蓋部材２ｂの後部に形成された凹み部２ｎに装着される。本体ガード２６は、ねじ部材２８によりねじ止め固定される棒状のボス部２６ａを有している。ボス部２６ａは、リールボディ２ａの後部から第１挿通孔２ｑを貫通して収納空間ＲＡ内に向かって突出可能に形成されている。
【００２４】
ボス部２６ａの先端は、リールボディ２ａの後部を貫通して保持部材２７に対向する位置まで突出している。ボス部２６ａの先端は、ねじ部材２８により保持部材２７の後端部にねじ止め固定される。このため、ボス部２６ａの先端には、雌ねじ部が形成されたねじ孔２６ｄが予め形成されている。本体ガード２６は、保持部材２７がリールボディ２ａに移動不能に装着された状態で、保持部材２７にねじ部材２８によりねじ止め固定されることで、リールボディ２ａに固定される。
【００２５】
保持部材２７は、図４から図６に示すように、筒状の保持部本体２７ａと、保持部本体２７ａの外周面から外方に突出する規制部２７ｂと、保持部本体２７ａの外周面の規制部と直交する方向に突出する１対の係止部２７ｃと、を有している。保持部本体２７ａの内周面には、ねじ部材２８の頭部２８ａを収容可能な円形の頭部収容部２７ｄと、頭部収容部２７ｄより小径の貫通孔２７ｅとが形成されている。これらの頭部収容部２７ｄ及び貫通孔２７ｅは、保持部材２７がリールボディ２ａに装着された状態で、第１及び第２挿通孔２ｑ，２ｊと同芯に配置されるように形成されている。また、本体ガード２６が装着された状態でボス部２６ａの前端面と保持部材２７の後端面との間には僅かな隙間（たとえば、１ｍｍ〜５ｍｍの隙間）が形成されるようになっている。これにより、ねじ部材２８により本体ガード２６をリールボディ２ａに装着したときに、凹み部２ｎに本体ガード２６の周縁部が接触した状態で、本体ガード２６が、隙間の分だけさらにリールボディ２ａ側に引き込まれ、パッキン２６ｂを介して僅かに弾性変形してリールボディ２ａに隙間なく装着される。
【００２６】
頭部収容部２７ｄは、ねじ部材２８の頭部２８ａを収容可能に頭部２８ａに対して僅かな隙間で嵌合する内径を有している。貫通孔２７ｅは、ねじ部材２８の軸部２８ｂを保持可能に軸部２８ｂの最大径と同じか僅かに小さい内径を有している。規制部２７ｂは、保持部本体２７ａの外周面の中心からずれた位置から概ね矩形状に突出している。規制部２７ｂは、図４に示すように、リールボディ２ａの側壁面に形成された段差部２ｓと蓋部材２ｂの端面とにより挟持され、スプール軸１５と食い違う方向の移動が規制されている。係止部２７ｃは、図５に示すように、棒状に径方向に突出しており、ねじ部材２８の軸方向に間隔を隔てて配置されている。係止部２７ｃは、図４に示すように、リールボディ２ａの側壁に形成された被係止部２ｔに係合している。これにより、保持部材２７を収納空間ＲＡにリールボディ２ａに対して移動不能に設けることができる。なお、ねじ部材２８は、図６に二点鎖線で示すように、リール本体２の組立時には、ねじ部材２８の軸部２８ｂが貫通孔２７ｅから突出しないように、軸部２８ｂの先端が貫通孔２７ｅに保持されている。
【００２７】
このリール本体２では、リールボディ２ａに蓋部材２ｂを固定する固定ボルト８２が本体ガード２６によりカバーされ、固定ボルト８０がロータ３によりカバーされるので、ボルト類が外部から見えない。また、本体ガード２６を取り付けるためのねじ部材２８もキャップ３９により覆われている。このため、全てのねじ部材が外部に露出しないすっきりとした外観を得ることができる。
【００２８】
また、ねじ部材２８を保持する保持部材２７を収納空間ＲＡ内にリールボディ２ａに対して移動不能に配置し、保持されたねじ部材２８を外部から工具によりボス部２６ａの前端部に固定することにより、本体ガード２６を固定できるので、長さが短いねじ部材２８を用いることができる。このため、本体ガード２６を容易に固定できるとともに、リール本体２の後部にねじ部材２８が露出しないようにすることができる。
【００２９】
＜スピニングリールのその他の構成＞
ロータ駆動機構５は、図２及び図４に示すように、ハンドル１が固定されたマスターギア軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００３０】
図４に示すように、フェースギア１１は、マスターギア軸１０と一体又は別体（この実施形態では一体）に形成されている。マスターギア軸１０の両端外周面には、ハンドル１のハンドル軸１ａの外周側に配置された軸つば部材１ｂを印ろう結合するための結合雄部１０ａが他の部分より小径に形成されている。また、軸つば部材１ｂの端部内周面には、結合凹部の外周面に嵌合する結合雌部１ｃが形成されている。これにより、軸つば部材１ｂがマスターギア軸１０と同芯に配置され、軸つば部材１ｂのがたつきが生じにくくなる。
【００３１】
オシレーティング機構６は、図２及び図４に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００３２】
ロータ３は、図２に示すように、リール本体２に対して前後方向の第１軸Ｘ回りに回転自在なロータ本体７と、ロータ本体７の後部を覆う後カバー部材３３と、第１及び第２ロータアーム３１，３２の外側面を各別に覆う１対の外側カバー部材３４ａ，３４ｂと、を有している。
【００３３】
ロータ本体７は、たとえばマグネシウム合金やアルミニウム合金製等の軽合金製であり、ピニオンギア１２に回転不能に連結され、リール本体２に対して回転自在である。ロータ本体７は、リール本体２の前部である円筒部２ｅを内部に配置可能に後部に形成された凹陥部３０ａを有する筒部３０と、筒部３０の後部の対向する位置に接続され筒部３０と間隔を隔てて前方に延びる第１及び第２ロータアーム３１，３２と、を有している。
【００３４】
筒部３０は、前部内周側に円板状の壁部３０ｄを有し、壁部３０ｄの中心部には、ピニオンギア１２と一体回転可能に連結される環状ボス部３０ｅが形成されている。このボス部３０ｅの中心にピニオンギア１２の前部が回転不能に係止され、ピニオンギア１２の先端にねじ込まれたナット１３により、ロータ本体７がピニオンギア１２に固定されている。ロータ３は、ローラ型のワンウェイクラッチ５１を有する逆転防止機構５０により逆転禁止状態と逆転許可状態とに切り換え可能である。この切換操作は、リール本体２の下部に配置された切換レバー５２ａにより行える。
【００３５】
第１ロータアーム３１の先端の外周側には、第１ベール支持部材４０が揺動自在に装着されている。第１ベール支持部材４０の先端には、釣り糸をスプール４に案内するためのラインローラ４１が装着されている。また、第２ロータアーム３２の先端内周側には、第２ベール支持部材４２が揺動自在に装着されている。
【００３６】
ラインローラ４１と第２ベール支持部材４２との間には線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００３７】
ロータ３の筒部３０の内部には、図２に示すように、ロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。切換機構５２は、リールボディ２ａに揺動自在に装着された切換レバー５２ａを有している。切換レバー５２ａは、図１に示すように、切換レバー５２ａの基端部を貫通する揺動軸５２ｂに固定ボルト５２ｃにより固定されている。揺動軸５２ｂの先端には図示しない回転カムが固定されており、切換レバー５２ａを揺動させると、カムによりワンウェイクラッチ５１が作動状態と非作動状態とに切り換わる。この固定ボルト５２ｃは、蓋部材２ｂで隠れる位置に配置されている。これにより固定ボルト５２ｃが外部に露出しなくなり目立たなくなる。
【００３８】
スプール４は、図２に示すように、ロータ３の第１ロータアーム３１と第２ロータアーム３２との間に配置されており、スプール軸１５の先端にドラグ機構６０を介して装着されている。スプール４は、外周に釣り糸が巻かれる糸巻き胴部４ａと、糸巻き胴部４ａの後方に糸巻き胴部４ａと一体形成された筒状のスカート部４ｂと、糸巻き胴部４ａの前端に設けられた大径のフランジ部４ｃとを有している。フランジ部４ｃは、糸巻き胴部４ａと一体形成された内フランジ部４ｄと、内フランジ部４ｄの外周側に着脱自在に装着された、たとえば硬質セラミック製のリング状の外フランジ部４ｅとを有している。外フランジ部４ｅは、糸巻き胴部４ａの内周面にねじ込まれたフランジ固定部材９により内フランジ部４ｄに固定されている。
【００３９】
ドラグ機構６０は、スプール４の回転を制動するものであり、スプール軸１５の先端に螺合するドラグ調整つまみ６１と、ドラグ調整つまみ６１により押圧されてスプール４を制動する制動部６２とを有している。
【００４０】
＜リール本体の組立手順＞
このような構成のスピニングリールでは、リール本体２内にロータ駆動機構５やオシレーティング機構６を装着するとともに、円筒部２ｅ内に逆転防止機構５０を装着する。また、保持部材２７の係止部２７ｃを被係止部２ｔに係合させることによりリールボディ２ａに装着する。この装着前に、保持部材２７の内部にねじ部材２８を挿入し、貫通孔２７ｅでねじ部材２８の軸部２８ｂの先端を図６に２点鎖線で示す位置に保持しておく。この状態で蓋部材２ｂをリールボディ２ａにかぶせて固定ボルト８０，８２によりリールボディ２ａに固定する。次に、リールボディ２ａ及び蓋部材２ｂの後方から本体ガード２６を装着する。そして、ドライバーやアーレンキーなどの工具を利用してねじ部材２８を押圧しながらねじ孔２６ｄにねじ込み、保持部材２７を介して本体ガード２６をリールボディ２ａに固定する。このとき、前述したように、本体ガード２６のボス部２６ａの前端面と保持部材２７の後端面との間に僅かな隙間があるので、ねじ部材２８を締め込んでいくと、本体ガード２６の周縁部が凹み部２ｎの縁部に接触しても、本体ガード２６をリールボディ２ａ側に引き込むことができ、本体ガード２６がパッキン２６ｂを介して僅かに弾性変形してリールボディ２ａに隙間なく装着される。これらの作業が終わると、第２挿通孔２ｊにキャップ３９を装着して第２挿通孔２ｊをカバーする。これにより、リール本体２の組立作業が完了する。
【００４１】
第１実施形態では、ねじ部材２８を保持する保持部材２７をリールボディ２ａと別体にし、保持部材２７を収納空間ＲＡ内にリールボディ２ａに対して移動不能に配置している。そして、保持されたねじ部材２８を外部から工具によりボス部２６ａの前端部に固定することにより、本体ガード２６を固定している。このため、長さが短いねじ部材２８を用いることができ、本体ガード２６を容易に固定できるとともに、リール本体２の後部にねじ部材２８が露出しないようにすることができる。
【００４２】
＜第２実施形態＞
図７に示すように、第２実施形態によるリール本体１０２の保持部材１２７は、リールボディ２ａと一体形成されている。また、ねじ部材１２８として、ねじ込み時に雌ねじ部を形成可能なタッピングビスを用いている。
【００４３】
図７において、保持部材１２７は、リールボディ２ａのたとえば上部又は側壁と一体形成された板状の部材である。保持部材１２７には、第１及び第２挿通孔２ｑ，２ｊと同芯に、頭部収容部１２７ｄ及び貫通孔１２７ｅが形成されている。頭部収容部１２７ｄには、ねじ部材１２８の頭部１２８ａを収容可能であり、貫通孔１２７ｅには、ねじ部材１２８の軸部１２８ｂが保持可能である。
【００４４】
本体ガード１２６のボス部１２６ａの前端面には、ねじ部材１２８により雌ねじ部が形成されるねじ孔１２６ｄが形成されている。
【００４５】
このような構成の第２実施形態でも、第１実施形態と同様な作用効果を奏する。この場合、保持部材１２７をリールボディ１０２ａに移動不能に連結する必要がないので保持部材１２７の構成が簡素化する。
【００４６】
〔他の実施形態〕
（ａ）前記実施形態では、固定部材としてねじ部材を例示したが、本発明の固定部材はねじ部材に限定されない。たとえば、先端に折れ曲がる鉤部を有する固定部材としての係止部材を保持部材に予め装着し、ボス部に鉤部に係止される被係止溝を形成してもよいこの場合、係止部材の前端面に工具を係止可能な十字や六角形の凹部を形成すればよい。
【００４７】
（ｂ）前記実施形態では、本体ガードが竿取付脚２ｃもカバーしているが、本発明の本体ガードは、リールボディや蓋部材を覆うように後方から装着されるものであればどのようなものでもよい。たとえば、リールボディと蓋部材だけをカバーするものでもよく、それらを別々にカバーするものでもよい。
【００４８】
（ｃ）前記実施形態では、保持部材をリールボディに対して移動不能に設けたが、蓋部材に移動不能に設けてもよい。
【００４９】
（ｄ）前記実施形態では、第１挿通孔２ｑと第２挿通孔２ｊとが同芯に対向して配置されていたが、同芯でなくてもよい。
【００５０】
（ｅ）前記実施形態では、第１及び第２挿通部を第１及び第２挿通孔２ｑ，２ｊで構成したが、第１及び第2挿通部は孔ではなく切欠き等で構成してもよい。
【００５１】
（ｆ）前記実施形態では、第２挿通孔２ｊをキャップ３９に塞いでいるが、キャップ３９を用いずに、制動部材５８や逆転防止機構５０のワンウェイクラッチ５１等のリールに用いられる他の部品で第２挿通孔２ｊを塞ぐようにしてもよい。
【図面の簡単な説明】
【００５２】
【図１】本発明の第１実施形態を採用したスピニングリールの側面図。
【図２】その側面断面図。
【図３】そのリール本体の分解斜視図。
【図４】図２のIV−IV断面図。
【図５】その本体ガード装着部分の分解斜視拡大図。
【図６】その本体ガード装着部分の断面拡大図。
【図７】第２実施形態の図６に相当する図。
【符号の説明】
【００５３】
２，１０２  リール本体
２ｑ，２ｊ  第１及び第２挿通孔（第１及び第２挿通部の一例）
２ｔ  被係止部
２ａ，１０２ａ  リールボディ
２ｂ  蓋部材
２６，１２６  本体ガード
２６ａ，１２６ａ  ボス部
２６ｄ，１２６ｄ  ねじ孔（雌ねじ部の一例）
２７，１２７  保持部材
２７ｂ  係止部
２７ｄ，１２７ｄ  頭部収容部
２７ｅ，１２７ｅ  貫通孔
２８，１２８  ねじ部材（固定部材の一例）
２８ａ，１２８ａ  頭部
２８ｂ，１２８ｂ  軸部
２８ｃ  雄ねじ部
３９  キャップ（閉塞部材の一例）
ＲＡ  収納空間
【図１】
2008154482.tif 000003
【図２】
2008154482.tif 000004
【図３】
2008154482.tif 000005
【図４】
2008154482.tif 000006
【図５】
2008154482.tif 000007
【図６】
2008154482.tif 000008
【図７】
2008154482.tif 000009
【手続補正書】
【提出日】平成19年10月3日(2007.10.3)
【手続補正１】
【補正対象書類名】特許請求の範囲
【補正対象項目名】請求項２
【補正方法】変更
【補正の内容】
【請求項２】
前記リールボディは、前記第２挿通部を閉塞可能な閉塞部材をさらに有している、請求項１に記載のスピニングリールのリール本体。
【手続補正２】
【補正対象書類名】明細書
【補正対象項目名】全文
【補正方法】変更
【補正の内容】
【発明の詳細な説明】
【技術分野】
【０００１】
本発明は、リール本体、特に、釣り竿に装着され、前方に釣り糸を繰り出し可能なスピニングリールのリール本体に関する。
【背景技術】
【０００２】
スピニングリールは、リール本体と、リール本体の前部に回転自在に装着されたロータと、ロータにより釣り糸が外周面に巻き付けられるスプールとを備えている。リール本体は、内部に側部が開口する収納空間を有するリールボディと、リールボディの開口を塞ぐためにリールボディに着脱自在に装着される蓋部材と、を有している。従来のリール本体は、蓋体部を筐体部の複数箇所にビスなどのねじ部材をねじ込むことにより蓋体部が筐体部に固定されている。このように、ねじ部材により蓋体部を筐体部に固定すると、ねじ部材の頭部を収納する凹部が外観に表れるので、高級感がある外観が得られにくい。また、凹部に餌やゴミなどの異物が付着するおそれがある
【０００３】
このような問題を解決するためにねじ部材が外観に表れないリール本体を有するスピニングリールの従来知られている（たとえば、特許文献１参照）。従来のスピニングリールのリール本体は、リールボディと蓋部材とを有しており、リールボディ及び蓋部材の前部は、ロータ内に配置され、前部に配置されたねじ部材により蓋部材が固定されている。また、リールボディ及び蓋部材の後部はカバー部材により覆われている。このカバー部材は、リール本体の前部から挿入された２本のねじ部材（固定部材の一例）でリールボディに固定されている。カバー部材を固定する固定部材は、リール本体のリール本体の左右に１本ずつ配置されスプール軸に沿って前後に延びて配置されている。このような構成の従来のリール本体では、カバー部材をロータ側から挿入した固定部材により固定しているので、カバー部材を装着してもリール本体の後部にねじ部材が露出しない。
【特許文献１】実公平６−２１３３６号公報
【発明の開示】
【発明が解決しようとする課題】
【０００４】
前記従来の構成では、リール本体の後部に固定部材が露出しない。このため、リールの外観の意匠を向上させることができる。しかし、リール本体をスプール軸に沿って貫通する長さが長い２本の固定部材を用いてカバー部材をリール本体に固定しているので、収納空間内を真っ直ぐに通して固定部材をカバー部材にねじ込むのが難しく、カバー部材の固定を容易に行いにくい。
【０００５】
本発明の課題は、スピニングリールのリール本体において、固定部材の後部への露出を抑えてカバー部材を容易に固定できるようにすることにある。
【課題を解決するための手段】
【０００６】
発明１に係るスピニングリールのリール本体は、釣り竿に装着され、前方に釣り糸を繰り出し可能なリール本体であって、リールボディと、蓋部材と、カバー部材と、保持部材と、を備えている。リールボディは、側部が開口する収納空間と、収納空間に連通する第１挿通部と、第１挿通部と逆側に配置され収納空間に連通する第２挿通部と、を有するものである。蓋部材は、収納空間を塞ぐためにリールボディに着脱自在に装着される部材である。カバー部材は、リールボディ及び蓋部材を覆うように後方から装着される部材であり、リールボディの後部から第１挿通部を通って収納空間内に向かって突出するボス部を有している。保持部材は、収納空間内でリールボディ及び蓋部材のいずれか一方に移動不能に設けられ、収納空間においてボス部の前端部を固定する固定部材を保持する部材である。
【０００７】
このリール本体では、カバー部材をリールボディ（又は蓋部材）に固定する際には、保持部材に固定部材を予め保持させておく。そして、カバー部材を固定するためにボス部を第１挿通部を通して収納空間の内部に配置する。ボス部が収納空間内に配置されるようにカバー部材を装着すると、リールボディの外部からドライバーやアーレンキーなどの工具を第２挿通部に挿通し、保持部材に保持された固定部材に回転等の運動を与えることによりボス部の前端部を保持部材に固定する。これにより、カバー部材がリールボディ（又は蓋部材）に固定される。ここでは、リールボディ（又は蓋部材）に対して移動不能な保持部材に保持された固定部材を外部から工具により運動させてボス部の前端部を保持部材に固定することにより、カバー部材を固定できるので、固定部材にねじ部材を用いても、長さが短いねじ部材を用いることができる。このため、カバー部材を容易に固定できるとともに、リール本体の後部にねじ部材が露出しないようにすることができる。
【０００８】
発明２に係るスピニングリールのリール本体は、発明１に記載のリール本体において、リールボディは、第２挿通部を閉塞可能な閉塞部材をさらに有している。この場合には、第２挿通部を設けてもリールボディの密閉性を高めることできる。
【０００９】
発明３に係るスピニングリールのリール本体は、発明１又は２に記載のリール本体において、固定部材は、頭部と、頭部より小径となるように形成され外周部に雄ねじ部が形成された軸部とを有するねじ部材であり、ボス部は、先端部にねじ部材の雄ねじ部が螺合する雌ねじ部を有している。この場合には、ねじ部材の頭部がリール本体の後部に露出しない。
【００１０】
発明４に係るスピニングリールのリール本体は、発明３に記載のリール本体において、ねじ部材は、タッピングビスであり、雌ねじ部は、タッピングビスにより形成される。この場合には、雌ねじ部を予めネジ加工で形成する必要がないので、加工コストを削減できる。
【００１１】
発明５に係るスピニングリールのリール本体は、発明１から４のいずれかに記載のリール本体において、保持部材は、リールボディと別体で形成されている。この場合には、リールボディや保持部材が単純な形状にできるので、それらを形成しやすい。
【００１２】
発明６に係るスピニングリールのリール本体は、発明５に記載のリール本体において、リールボディは、収納空間の内部に形成された被係止部を有し、保持部材は、リールボディに対して相対移動不能に装着するために、被係止部に係止可能な係止部を有している。この場合には、係止するだけで保持部材をリールボディに対して移動不能にできるので、移動不能に連結する構成が簡素化する。
【００１３】
発明７に係るスピニングリールのリール本体は、発明１から４のいずれかに記載のリール本体において、保持部材は、リールボディと一体で形成されている。この場合には、保持部材をリールボディに移動不能に連結する必要がないので保持部材の構成が簡素化する。
【００１４】
発明８に係るスピニングリールのリール本体は、発明３から７のいずれかに記載のリール本体において、保持部材は、ねじ部材の軸部が貫通する貫通孔を有している。この場合には、ねじ部材を保持部材の貫通孔で保持することができる。
【００１５】
発明９に係るスピニングリールのリール本体は、発明８に記載のリール本体において、保持部材は、ねじ部材の頭部を収容可能な頭部収容部をさらに有している。この場合には、ねじ部材の頭部が頭部収容部に収容されるので、カバー部材の固定前にねじ部材が脱落しにくい。
【発明の効果】
【００１６】
本発明によれば、固定部材を保持する保持部材を収納空間内にリールボディ（又は蓋部材）に対して移動不能に配置し、保持された固定部材を外部から工具によりボス部の前端部に固定することにより、カバー部材を固定できるので、固定部材にねじ部材を用いても、長さが短いねじ部材を用いることができる。このため、カバー部材を容易に固定できるとともに、リール本体の後部にねじ部材が露出しないようにすることができる。
【発明を実施するための最良の形態】
【００１７】
＜第１実施形態＞
本発明の第１実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１はリール本体２の左右いずれにも装着可能である。
【００１８】
＜リール本体の構成＞
リール本体２は、図２及び図３に示すように、側部が開口する収納空間ＲＡを内部に有するリールボディ２ａと、リールボディ２ａの収納空間ＲＡを塞ぐためにリールボディ２ａに着脱自在に装着される蓋部材２ｂ（図３）と、を有している。また、リール本体２は、リールボディ２ａ及び蓋部材２ｂの後部を覆う本体ガード（カバー部材の一例）２６と、収納空間ＲＡにリールボディ２ａに対して移動不能に設けられ、収納空間ＲＡにおいて本体ガード２６の前端部に固定されるねじ部材２８（固定部材の一例）を保持する保持部材２７と、を有している。
【００１９】
リールボディ２ａは、たとえば、マグネシウム合金やアルミニウム合金等の軽合金製のものであり、上部に前後に延びるＴ字形の竿取付脚２ｃが一体形成されている。リールボディ２ａの収納空間ＲＡ内には、図２に示すように、ロータ駆動機構５と、オシレーティング機構６とが設けられている。リールボディ２ａの後部には、第１挿通孔（第一挿通部の一例）２ｑが前後方向に沿って形成されている。リールボディ２ａの前端には、図３に示すように、円形のフランジ部２ｄを構成する概ね半円形の第１フランジ２ｄ１と、フランジ部２ｄより小径で先端が開口する円筒部２ｅとが形成されている。第１フランジ２ｄ１の上部には、本体ガード２６を固定するねじ部材２８を回すための工具を収納空間ＲＡに挿通可能な第２挿通孔（第２挿通部の一例）２ｊが形成されている。第２挿通孔２ｊは、第１挿通孔２ｑと逆側の対向した位置に同芯に配置されている。ねじ部材２８により本体ガード２６を固定した後に、第２挿通孔２ｊは、たとえば弾性体製のキャップ（閉塞部材の一例）３９により塞がれている。
【００２０】
図５及び図６に示すように、ねじ部材２８は、頭部２８ａと、頭部２８ａより小径となるように形成され外周部に雄ねじ部２８ｃが形成された軸部２８ｂとを有する部材である。第２挿通孔２ｊは、たとえば、ねじ部材２８の頭部２８ａに係合するドライバーやアーレンキーの軸部分が挿通可能な内径を有している。円筒部２ｅのフランジ部２ｄ側の基端部には、断面が円形状に切り欠かれた装着溝２ｆが形成されている。また、装着溝２ｆには、図３に示すように、後述するベールアーム４４を糸解放姿勢にしたときにロータ３を制動可能なロータ制動機構５７の弾性体製の制動部材５８が装着されている。
【００２１】
蓋部材２ｂは、たとえば、マグネシウム合金やアルミニウム合金等の軽合金製のものである。蓋部材２ｂは、たとえば、ロータ３で隠れる前側の２箇所で固定ボルト８０によりリールボディ２ａに固定されている。また、蓋部材２ｂは、ロータ３から離反する後側の１箇所で固定ボルト８２によりリールボディ２ａに固定されている。なお、固定ボルト８２は、本体ガード２６によりカバーされる位置で蓋部材２ｂをリールボディ２ａに固定する。
【００２２】
蓋部材２ｂの前端には、第１フランジ２ｄ１とで円形のフランジ部２ｄを構成する概ね半円形の第２フランジ２ｄ２が形成されている。第２フランジ２ｄ２の前面には、固定ボルト８０が貫通する板状部２ｉが一体形成されている。板状部２ｉは、蓋部材２ｂの前部をリールボディ２ａに固定ボルト８０によりねじ止め固定するために設けられている。板状部２ｉは、シール部材２５を装着するための、概ねＣ字状のシール装着部２ｈの外側に前方に突出して形成されている。板状部２ｉは、上下に長い板状の部分であり、その両端に固定ボルト８０が貫通する１対の貫通孔２ｋが形成されている。貫通孔２ｋ形成部分の間は、貫通孔２ｋ形成部分より突出量が小さくなっている。すなわち、板状部２ｉは、両端が略半円形に同じ厚みで突出し、その間が貫通孔２ｋの中心位置より僅かに後方に凹むように第２フランジ２ｄ２から突出して形成されている。
【００２３】
シール部材２５は、合成樹脂製のＣ字状に形成された部材であり、蓋部材２ｂとリールボディ２ａのフランジ分割部分をシールするために設けられている。リールボディ２ａと蓋部材２ｂとの分割部分には、後述する切換部材５６が着脱自在に装着されている。
【００２４】
円筒部２ｅの装着溝２ｆ形成部分には、板状部２ｉが配置される凹部２ｇが形成されている。この凹部２ｇには、制動部材５８の凹みを防止するための突出部材８１が装着される。凹部２ｇは、板状部２ｉの輪郭に沿うように凹んで形成されており、上下方向の両端部が中間部分より前方に突出するように略半円形に凹んでいる。板状部２ｉは、２本の固定ボルト８０により、リールボディ２ａの凹部２ｇに固定されている。したがって、凹部２ｇには、固定ボルト８０が螺合するねじ孔２ｍが上下に間隔を隔てて配置されている。
【００２５】
本体ガード２６は、図３に示すように、リールボディ２ａ及び蓋部材２ｂを覆うように後方から装着された部材である。具体的には、本体ガード２６は、姿合わせのためのパッキン２６ｂを介して竿取付脚２ｃを含むリールボディ２ａ及び蓋部材２ｂの後部に形成された凹み部２ｎに装着される。本体ガード２６は、ねじ部材２８によりねじ止め固定される棒状のボス部２６ａを有している。ボス部２６ａは、リールボディ２ａの後部から第１挿通孔２ｑを貫通して収納空間ＲＡ内に向かって突出可能に形成されている。
【００２６】
ボス部２６ａの先端は、リールボディ２ａの後部を貫通して保持部材２７に対向する位置まで突出している。ボス部２６ａの先端は、ねじ部材２８により保持部材２７の後端部にねじ止め固定される。このため、ボス部２６ａの先端には、雌ねじ部が形成されたねじ孔２６ｄが予め形成されている。本体ガード２６は、保持部材２７がリールボディ２ａに移動不能に装着された状態で、保持部材２７にねじ部材２８によりねじ止め固定されることで、リールボディ２ａに固定される。
【００２７】
保持部材２７は、図４から図６に示すように、筒状の保持部本体２７ａと、保持部本体２７ａの外周面から外方に突出する規制部２７ｂと、保持部本体２７ａの外周面の規制部と直交する方向に突出する１対の係止部２７ｃと、を有している。保持部本体２７ａの内周面には、ねじ部材２８の頭部２８ａを収容可能な円形の頭部収容部２７ｄと、頭部収容部２７ｄより小径の貫通孔２７ｅとが形成されている。これらの頭部収容部２７ｄ及び貫通孔２７ｅは、保持部材２７がリールボディ２ａに装着された状態で、第１及び第２挿通孔２ｑ，２ｊと同芯に配置されるように形成されている。また、本体ガード２６が装着された状態でボス部２６ａの前端面と保持部材２７の後端面との間には僅かな隙間（たとえば、１ｍｍ〜５ｍｍの隙間）が形成されるようになっている。これにより、ねじ部材２８により本体ガード２６をリールボディ２ａに装着したときに、凹み部２ｎに本体ガード２６の周縁部が接触した状態で、本体ガード２６が、隙間の分だけさらにリールボディ２ａ側に引き込まれ、パッキン２６ｂを介して僅かに弾性変形してリールボディ２ａに隙間なく装着される。
【００２８】
頭部収容部２７ｄは、ねじ部材２８の頭部２８ａを収容可能に頭部２８ａに対して僅かな隙間で嵌合する内径を有している。貫通孔２７ｅは、ねじ部材２８の軸部２８ｂを保持可能に軸部２８ｂの最大径と同じか僅かに小さい内径を有している。規制部２７ｂは、保持部本体２７ａの外周面の中心からずれた位置から概ね矩形状に突出している。規制部２７ｂは、図４に示すように、リールボディ２ａの側壁面に形成された段差部２ｓと蓋部材２ｂの端面とにより挟持され、スプール軸１５と食い違う方向の移動が規制されている。係止部２７ｃは、図５に示すように、棒状に径方向に突出しており、ねじ部材２８の軸方向に間隔を隔てて配置されている。係止部２７ｃは、図４に示すように、リールボディ２ａの側壁に形成された被係止部２ｔに係合している。これにより、保持部材２７を収納空間ＲＡにリールボディ２ａに対して移動不能に設けることができる。なお、ねじ部材２８は、図６に二点鎖線で示すように、リール本体２の組立時には、ねじ部材２８の軸部２８ｂが貫通孔２７ｅから突出しないように、軸部２８ｂの先端が貫通孔２７ｅに保持されている。
【００２９】
このリール本体２では、リールボディ２ａに蓋部材２ｂを固定する固定ボルト８２が本体ガード２６によりカバーされ、固定ボルト８０がロータ３によりカバーされるので、ボルト類が外部から見えない。また、本体ガード２６を取り付けるためのねじ部材２８もキャップ３９により覆われている。このため、全てのねじ部材が外部に露出しないすっきりとした外観を得ることができる。
【００３０】
また、ねじ部材２８を保持する保持部材２７を収納空間ＲＡ内にリールボディ２ａに対して移動不能に配置し、保持されたねじ部材２８を外部から工具によりボス部２６ａの前端部に固定することにより、本体ガード２６を固定できるので、長さが短いねじ部材２８を用いることができる。このため、本体ガード２６を容易に固定できるとともに、リール本体２の後部にねじ部材２８が露出しないようにすることができる。
【００３１】
＜スピニングリールのその他の構成＞
ロータ駆動機構５は、図２及び図４に示すように、ハンドル１が固定されたマスターギア軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００３２】
図４に示すように、フェースギア１１は、マスターギア軸１０と一体又は別体（この実施形態では一体）に形成されている。マスターギア軸１０の両端外周面には、ハンドル１のハンドル軸１ａの外周側に配置された軸つば部材１ｂを印ろう結合するための結合雄部１０ａが他の部分より小径に形成されている。また、軸つば部材１ｂの端部内周面には、結合雄部１０ａの外周面に嵌合する結合雌部１ｃが形成されている。これにより、軸つば部材１ｂがマスターギア軸１０と同芯に配置され、軸つば部材１ｂのがたつきが生じにくくなる。
【００３３】
オシレーティング機構６は、図２及び図４に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００３４】
ロータ３は、図２に示すように、リール本体２に対して前後方向の第１軸Ｘ回りに回転自在なロータ本体７と、ロータ本体７の後部を覆う後カバー部材３３と、第１及び第２ロータアーム３１，３２の外側面を各別に覆う１対の外側カバー部材３４ａ，３４ｂと、を有している。
【００３５】
ロータ本体７は、たとえばマグネシウム合金やアルミニウム合金製等の軽合金製であり、ピニオンギア１２に回転不能に連結され、リール本体２に対して回転自在である。ロータ本体７は、リール本体２の前部である円筒部２ｅを内部に配置可能に後部に形成された凹陥部３０ａを有する筒部３０と、筒部３０の後部の対向する位置に接続され筒部３０と間隔を隔てて前方に延びる第１及び第２ロータアーム３１，３２と、を有している。
【００３６】
筒部３０は、前部内周側に円板状の壁部３０ｄを有し、壁部３０ｄの中心部には、ピニオンギア１２と一体回転可能に連結される環状ボス部３０ｅが形成されている。このボス部３０ｅの中心にピニオンギア１２の前部が回転不能に係止され、ピニオンギア１２の先端にねじ込まれたナット１３により、ロータ本体７がピニオンギア１２に固定されている。ロータ３は、ローラ型のワンウェイクラッチ５１を有する逆転防止機構５０により逆転禁止状態と逆転許可状態とに切り換え可能である。この切換操作は、リール本体２の下部に配置された切換レバー５２ａにより行える。
【００３７】
第１ロータアーム３１の先端の外周側には、第１ベール支持部材４０が揺動自在に装着されている。第１ベール支持部材４０の先端には、釣り糸をスプール４に案内するためのラインローラ４１が装着されている。また、第２ロータアーム３２の先端内周側には、第２ベール支持部材４２が揺動自在に装着されている。
【００３８】
ラインローラ４１と第２ベール支持部材４２との間には線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００３９】
ロータ３の筒部３０の内部には、図２に示すように、ロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。切換機構５２は、リールボディ２ａに揺動自在に装着された切換レバー５２ａを有している。切換レバー５２ａは、図１に示すように、切換レバー５２ａの基端部を貫通する揺動軸５２ｂに固定ボルト５２ｃにより固定されている。揺動軸５２ｂの先端には図示しない回転カムが固定されており、切換レバー５２ａを揺動させると、カムによりワンウェイクラッチ５１が作動状態と非作動状態とに切り換わる。この固定ボルト５２ｃは、蓋部材２ｂで隠れる位置に配置されている。これにより固定ボルト５２ｃが外部に露出しなくなり目立たなくなる。
【００４０】
スプール４は、図２に示すように、ロータ３の第１ロータアーム３１と第２ロータアーム３２との間に配置されており、スプール軸１５の先端にドラグ機構６０を介して装着されている。スプール４は、外周に釣り糸が巻かれる糸巻き胴部４ａと、糸巻き胴部４ａの後方に糸巻き胴部４ａと一体形成された筒状のスカート部４ｂと、糸巻き胴部４ａの前端に設けられた大径のフランジ部４ｃとを有している。フランジ部４ｃは、糸巻き胴部４ａと一体形成された内フランジ部４ｄと、内フランジ部４ｄの外周側に着脱自在に装着された、たとえば硬質セラミック製のリング状の外フランジ部４ｅとを有している。外フランジ部４ｅは、糸巻き胴部４ａの内周面にねじ込まれたフランジ固定部材９により内フランジ部４ｄに固定されている。
【００４１】
ドラグ機構６０は、スプール４の回転を制動するものであり、スプール軸１５の先端に螺合するドラグ調整つまみ６１と、ドラグ調整つまみ６１により押圧されてスプール４を制動する制動部６２とを有している。
【００４２】
＜リール本体の組立手順＞
このような構成のスピニングリールでは、リール本体２内にロータ駆動機構５やオシレーティング機構６を装着するとともに、円筒部２ｅ内に逆転防止機構５０を装着する。また、保持部材２７の係止部２７ｃを被係止部２ｔに係合させることによりリールボディ２ａに装着する。この装着前に、保持部材２７の内部にねじ部材２８を挿入し、貫通孔２７ｅでねじ部材２８の軸部２８ｂの先端を図６に２点鎖線で示す位置に保持しておく。この状態で蓋部材２ｂをリールボディ２ａにかぶせて固定ボルト８０，８２によりリールボディ２ａに固定する。次に、リールボディ２ａ及び蓋部材２ｂの後方から本体ガード２６を装着する。そして、ドライバーやアーレンキーなどの工具を利用してねじ部材２８を押圧しながらねじ孔２６ｄにねじ込み、保持部材２７を介して本体ガード２６をリールボディ２ａに固定する。このとき、前述したように、本体ガード２６のボス部２６ａの前端面と保持部材２７の後端面との間に僅かな隙間があるので、ねじ部材２８を締め込んでいくと、本体ガード２６の周縁部が凹み部２ｎの縁部に接触しても、本体ガード２６をリールボディ２ａ側に引き込むことができ、本体ガード２６がパッキン２６ｂを介して僅かに弾性変形してリールボディ２ａに隙間なく装着される。これらの作業が終わると、第２挿通孔２ｊにキャップ３９を装着して第２挿通孔２ｊをカバーする。これにより、リール本体２の組立作業が完了する。
【００４３】
第１実施形態では、ねじ部材２８を保持する保持部材２７をリールボディ２ａと別体にし、保持部材２７を収納空間ＲＡ内にリールボディ２ａに対して移動不能に配置している。そして、保持されたねじ部材２８を外部から工具によりボス部２６ａの前端部に固定することにより、本体ガード２６を固定している。このため、長さが短いねじ部材２８を用いることができ、本体ガード２６を容易に固定できるとともに、リール本体２の後部にねじ部材２８が露出しないようにすることができる。
【００４４】
＜第２実施形態＞
図７に示すように、第２実施形態によるリール本体１０２の保持部材１２７は、リールボディ１０２ａと一体形成されている。また、ねじ部材１２８として、ねじ込み時に雌ねじ部を形成可能なタッピングビスを用いている。
【００４５】
図７において、保持部材１２７は、リールボディ１０２ａのたとえば上部又は側壁と一体形成された板状の部材である。保持部材１２７には、第１及び第２挿通孔２ｑ，２ｊと同芯に、頭部収容部１２７ｄ及び貫通孔１２７ｅが形成されている。頭部収容部１２７ｄには、ねじ部材１２８の頭部１２８ａを収容可能であり、貫通孔１２７ｅには、ねじ部材１２８の軸部１２８ｂが保持可能である。
【００４６】
本体ガード１２６のボス部１２６ａの前端面には、ねじ部材１２８により雌ねじ部が形成されるねじ孔１２６ｄが形成されている。
【００４７】
このような構成の第２実施形態でも、第１実施形態と同様な作用効果を奏する。この場合、保持部材１２７をリールボディ１０２ａに移動不能に連結する必要がないので保持部材１２７の構成が簡素化する。
【００４８】
〔他の実施形態〕
（ａ）前記実施形態では、固定部材としてねじ部材を例示したが、本発明の固定部材はねじ部材に限定されない。たとえば、先端に折れ曲がる鉤部を有する固定部材としての係止部材を保持部材に予め装着し、ボス部に鉤部に係止される被係止溝を形成してもよいこの場合、係止部材の前端面に工具を係止可能な十字や六角形の凹部を形成すればよい。
【００４９】
（ｂ）前記実施形態では、本体ガードが竿取付脚２ｃもカバーしているが、本発明の本体ガードは、リールボディや蓋部材を覆うように後方から装着されるものであればどのようなものでもよい。たとえば、リールボディと蓋部材だけをカバーするものでもよく、それらを別々にカバーするものでもよい。
【００５０】
（ｃ）前記実施形態では、保持部材をリールボディに対して移動不能に設けたが、蓋部材に移動不能に設けてもよい。
【００５１】
（ｄ）前記実施形態では、第１挿通孔２ｑと第２挿通孔２ｊとが同芯に対向して配置されていたが、同芯でなくてもよい。
【００５２】
（ｅ）前記実施形態では、第１及び第２挿通部を第１及び第２挿通孔２ｑ，２ｊで構成したが、第１及び第2挿通部は孔ではなく切欠き等で構成してもよい。
【００５３】
（ｆ）前記実施形態では、第２挿通孔２ｊをキャップ３９に塞いでいるが、キャップ３９を用いずに、制動部材５８や逆転防止機構５０のワンウェイクラッチ５１等のリールに用いられる他の部品で第２挿通孔２ｊを塞ぐようにしてもよい。
【図面の簡単な説明】
【００５４】
【図１】本発明の第１実施形態を採用したスピニングリールの側面図。
【図２】その側面断面図。
【図３】そのリール本体の分解斜視図。
【図４】図２のIV−IV断面図。
【図５】その本体ガード装着部分の分解斜視拡大図。
【図６】その本体ガード装着部分の断面拡大図。
【図７】第２実施形態の図６に相当する図。
【符号の説明】
【００５５】
２，１０２  リール本体
２ｑ，２ｊ  第１及び第２挿通孔（第１及び第２挿通部の一例）
２ｔ  被係止部
２ａ，１０２ａ  リールボディ
２ｂ  蓋部材
２６，１２６  本体ガード
２６ａ，１２６ａ  ボス部
２６ｄ，１２６ｄ  ねじ孔（雌ねじ部の一例）
２７，１２７  保持部材
２７ｂ  係止部
２７ｄ，１２７ｄ  頭部収容部
２７ｅ，１２７ｅ  貫通孔
２８，１２８  ねじ部材（固定部材の一例）
２８ａ，１２８ａ  頭部
２８ｂ，１２８ｂ  軸部
２８ｃ  雄ねじ部
３９  キャップ（閉塞部材の一例）
ＲＡ  収納空間
【手続補正３】
【補正対象書類名】図面
【補正対象項目名】全図
【補正方法】変更
【補正の内容】
【図１】
2008154482.tif 000010
【図２】
2008154482.tif 000011
【図３】
2008154482.tif 000012
【図４】
2008154482.tif 000013
【図５】
2008154482.tif 000014
【図６】
2008154482.tif 000015
【図７】
2008154482.tif 000016